(57)【要約】【課題】  温度上昇を抑制することが可能であり、防火性に優れたストーブ用設置台を提供する。【解決手段】  ストーブが設置される載置部１４を備え、載置部１４を、床面に支持する脚部１６Ｂを備えた支承部１６によって床面よりも上方に位置させるように構成し、載置部１４等から伝達されるストーブ燃焼時における熱を放熱する放熱フィン２０を載置部１４の下側で、支承部１６の内側に複数重ね合わせてなる複層構造の放熱部１８を設けるとともに、放熱部１８の周囲に、放熱部１８の周囲を囲繞する空気取入部１２を設けている。【選択図】        図２
2007285665.tif 000002
【特許請求の範囲】
【請求項１】
ストーブが設置される載置部を備え、該載置部を、床面に支持する脚部を備えた支承部によって床面よりも上方に位置させるように構成し、前記載置部等から伝達されるストーブ燃焼時における熱を放熱する放熱フィンを前記載置部の下側で、前記支承部の内側に複数重ね合わせてなる複層構造の放熱部を設けるとともに、該放熱部の周囲に該放熱部の周囲を囲繞する空気取入部を設けてなることを特徴とするストーブ用設置台。
【請求項２】
前記空気取入部は放熱部及び支承部のうち、少なくとも一方と接続されていることを特徴とする請求項１に記載のストーブ用設置台。
【発明の詳細な説明】
【技術分野】
【０００１】
本発明は、ストーブ用設置台に係わり、特に薪ストーブや木質系ペレットストーブ、石炭ストーブ等の各種ストーブを、床面に設置する際に利用されるストーブ用設置台に関する。
【背景技術】
【０００２】
北海道や東北などの寒冷地域においては冬季間の暖房が必要不可欠であるが、近年、灯油価格の高騰などを受けて、薪ストーブや木質系ペレットストーブ、石炭ストーブの使用が増加してきている。特開2005-308320号公報記載の木質固形燃料暖房装置などは、その最たる例であり、環境問題に対する意識の変化などを背景に、このようなストーブの使用が増加している。薪ストーブは、燃焼時に最も温度が高いところで８００°Ｃ前後に達し、ストーブの設置に際しては火災防止の配慮が常に必要となる。特に、ストーブの床面に近い部分は２５０°Ｃ程度となるために、ストーブが載置されるストーブ用設置台は、防火性能を十分に満足する必要がある。
【特許文献１】特開2005-308320号公報
【０００３】
従来、このようなストーブ設置台の一例としては、ストーブが設置される上面をタイル貼りとするとともに、内部に水を張ったバットを抜き差し自在とし、バット内の水が蒸発する際の気化熱を利用して温度を下げるようにしたものなどが使用されていた。或いは、コンクリート製の台なども使用されていた。
【発明の開示】
【発明が解決しようとする課題】
【０００４】
しかしながら、前述したストーブ用設置台は、内部に水を補給する手間がかかるとともに、水の補給を忘れやすいなどの問題点を有し、防火性、耐火性の点で万全とは言えなかった。
【０００５】
本発明は、このような諸事情に対処するために提案されたものであって、内部に水を張るなどの手間がかからないとともに、設置台自体の温度上昇を抑制することが可能であり、防火性、耐火性に優れたストーブ用設置台を提供することを目的とする。
【課題を解決するための手段】
【０００６】
上記目的を達成するために、請求項１記載の発明は、ストーブが設置される載置部を備え、該載置部を、床面に支持する脚部を備えた支承部によって床面よりも上方に位置させるように構成し、前記載置部等から伝達されるストーブ燃焼時における熱を放熱する放熱フィンを前記載置部の下側で、前記支承部の内側に複数重ね合わせてなる複層構造の放熱部を設けるとともに、該放熱部の周囲に該放熱部の周囲を囲繞する空気取入部を設けてなることを特徴とする。
【０００７】
請求項２記載の発明は、請求項１において、前記空気取入部は放熱部及び支承部のうち、少なくとも一方と接続されていることを特徴とする。
【発明の効果】
【０００８】
上述のように、請求項１記載の発明によれば、放熱部によってストーブから伝わる熱を放熱するようにしているため、従来必要だった水を張るなどの手間がかからないとともに、設置台自体の温度上昇を抑制することができるので、防火性並びに耐火性に優れている。
【０００９】
特に、請求項２記載の発明によれば、空気取入部は、放熱部及び支承部のうち、少なくとも一方と接続するようにしているので、放熱効果をより向上させることができ、設置台自体の温度の上昇をさらに抑制することができる。
【発明を実施するための最良の形態】
【００１０】
以下、本発明に係るストーブ用設置台の好適な実施形態について添付図面を参照して説明する。図１は本発明の一つの実施形態に係るストーブ用設置台の斜視図、図２は同じく本実施形態のストーブ用設置台の分解斜視図である。
【００１１】
図１及び図２に示されるように、本実施形態のストーブ用設置台１０は、空気取入部１２と、載置部１４と、支承部１６と、放熱部１８（１８Ａ〜１８Ｃ）等とを主な要素として構成されている。
図３は空気取入部１２の詳細を示した図、図４はその断面図である。図３（Ａ）及び（Ｃ）に示されるように、空気取入部１２は、載置部１４、支承部１６、放熱部１８の周囲を囲繞するように平面視長方形状をなし、図４に示されるように、鋼板を折り曲げ加工することによって箱状に形成されている。図３（Ｂ）及び（Ｄ）に示されるように、その側面には空気取入用の空気孔１２Ａが複数個、横長状に等間隔で穿設され、内側に配設されている支承部１６並びに放熱部１８等に向けて、冷却用の空気を導入することができるようになっている。
【００１２】
図２に示されるように、載置部１４は、長方形の板状の金属板１４Ａと、石膏ボード１４Ｂとからなり、前述した空気取入部１２の内側に取り付けられ、金属板１４Ａを石膏ボード１４Ｂ上に載せた状態で組み合せることにより、耐火性と遮熱性とを併せ持たせるようにしている。載置部１４には、図示しないストーブが載置され、床に熱が直接伝わらないようになっている。
なお、載置部１４は耐火性並びに遮熱性を有する部材であれば、金属板１４Ａや石膏ボード１４Ｂに限られるものではない。
【００１３】
図２に示されるように、石膏ボード１４Ｂの下方には支承部１６が位置している。図５は支承部１６の詳細を示した図、図６は断面図である。
図５及び図６に示されるように、支承部１６は、保持部１６Ａと、脚部１６Ｂと、取付片１６Ｃ等とを備えている。図６（Ａ）に示されるように、支承部１６は鋼板を折り曲げ加工することによって側面視門型状に形成され、特に図５（Ａ）に示されるように、角部の四隅には各２個の取付片１６Ｃ，１６Ｃ・・が形成されている。
【００１４】
支承部１６は、取付片１６Ｃに穿設されたネジ孔を利用して、前述した空気取入部１２の下面にネジ止めすることにより、空気取入部１２に対して一体化される。保持部１６Ａの下面には、長手方向に向かって図６（Ａ）に示されるように、コ字状断面の脚部１６Ｂ，１６Ｂが取り付けられており、脚部１６Ｂによって載置部１４を通して保持部１６Ａへ伝わるストーブの荷重を支えるようになっている。
【００１５】
図６（Ａ）に示されるように、脚部１６Ｂは取り付けられた支承部１６の下面とによって、断面が角パイプ状をなし、これにより、その内部に空気の通り道が形成されている。このように、角パイプ状としたのは、載置部１４から伝わる熱を効率よく放熱できるように空気の通り道を確保し、内部を流れる空気によって脚部１６Ｂを冷却するとともに、ひいては支承部１６全体の放熱効率を向上させることを目的にこのような構成を採用している。
【００１６】
また、図５及び図６に示されるように、支承部１６は、取付片１６Ｃを含む支承部１６の外周部を、脚部１６Ｂよりも上方に位置させることによって、床面との間に隙間を空けている。この結果、空気取入部１２に加えて取付片１６Ｃの下方からも冷却用の空気を支承部１６の内側へ導入して熱を逃がすことができるようになり、放熱部１８への冷却効率を高めることができるようになっている。ストーブの荷重は２本の水平な脚部１６Ｂによって支えるために、このような構成が可能である。
【００１７】
図７及び図８は放熱部１８を構成する３つの放熱部１８Ａ〜１８Ｃを示した図である。これらの図に示されるように、放熱部１８は、支承部１６の内側に、対称に配置される１８Ａ，１８Ｃと、中央に配置される１８Ｂとから構成されている。各放熱部１８Ａ〜１８Ｃは、３枚の放熱フィン２０の間に隙間をあけて重ね合わせてなる積層構造として形成されている。図２にも示されるように、各放熱フィン２０の間は、金属製のパッキン２２を介することによって一定の隙間が空くように配設されているとともに、支承部１６の上面から挿通されたネジ２４によってネジ止め固定され、これにより、３枚の放熱フィン２０同士が積層構造となるように取り付けられている。３枚の放熱フィン２０は、載置部１４、支承部１６を介して伝達されるストーブの熱によって熱せられるが、放熱フィン２０を積層構造とすることによって放熱面積が増加しているために、放熱特性に優れたものとなっている。また、各放熱フィン２０間の隙間を、空気がスムーズに対流するために、冷却効率を向上させることが可能である。
【００１８】
図９は本実施形態のストーブ用設置台の組み立てられた状態を示した図、図１０は要部断面図である。これらの図に示されるように、放熱部１８Ａ〜１８Ｃの周囲に配設されている空気取入部１２の空気孔１２Ａから温度差によって空気が支承部１６の内側へと導入され、内部に配設されている放熱部１８Ａ〜１８Ｃを、導入された空気によって強制的に冷却するため、冷却がスムーズに行われ、支承部１６全体の温度上昇を抑制することができる。つまり、支承部１６、並びに多層化された放熱部１８Ａ〜１８Ｃとの間に、空気の通り道を形成するとともに、伝熱面積を増大させることによって空気の対流を内側で促進しながら放熱効率を飛躍的に高めたものである。
【００１９】
なお、本実施形態では、放熱部１８Ａ〜１８Ｃを構成する放熱フィン２０を３枚使用しているが、金属板の数は幾つでもよい。また、支承部１６の脚部１６Ｂの形状についても、ストーブの荷重を支持することができ、且つ冷却時における空気の経路を確保することができれば、本実施形態の角パイプ状且つ水平状ではなく、鉛直状、且つ丸形若しくは角形として、載置部１４を複数箇所に設けられた脚部によって支持するなどといったように構成することも可能である。
また、空気取入部１２は、支承部１６並びに放熱部１８Ａ〜１８Ｃに対して、離隔した状態でその周囲に配設しているが、空気取入部１２と、支承部１６及び放熱部１８Ａ〜１８Ｃ（放熱フィン２０）のうち、少なくとも一方とを連結し、空気取入部１２にストーブからの熱を伝達することによって、全体として放熱効果を持たせるようにしてもよい。これによれば、放熱面積が増大するので、より確実な放熱効果を実現でき、設置台１０全体の温度上昇を抑制することができる。
【００２０】
以上、説明したように、本実施形態のストーブ用設置台によれば、放熱部１８によって、ストーブから伝わる熱を効率的に放熱し、台全体を素早く冷却することができるので、防火性、耐火性が向上している。
【産業上の利用可能性】
【００２１】
以上説明したように、本発明によれば、薪ストーブや木質系ペレットストーブなどを設置する際に使用する設置台として、床面に置いて使用する場合に、水を張るなどの手間がかからないとともに、設置台自体の温度上昇を抑制することができるので、防火性並びに耐火性に優れ、火災の危険性を少なくすることができるという優れた効果を奏する。
【図面の簡単な説明】
【００２２】
【図１】本発明の一つの実施形態に係るストーブ用設置台の斜視図である。
【図２】同じく、本実施形態のストーブ用設置台の分解斜視図である。
【図３】同じく、本実施形態のストーブ用設置台の要部である空気取入部の詳細を示した図である。
【図４】同じく、本実施形態のストーブ用設置台の要部である空気取入部の断面図である。
【図５】同じく、本実施形態のストーブ用設置台の要部である支承部の詳細を示した図である。
【図６】同じく、本実施形態のストーブ用設置台の要部である支承部の断面図である。
【図７】同じく、本実施形態のストーブ用設置台の要部である放熱部のうち、対称に設置される２つの放熱部を示した図である。
【図８】同じく、本実施形態のストーブ用設置台の要部である放熱部のうち、中央に設置される放熱部を示した図である。
【図９】同じく、本実施形態のストーブ用設置台の組み立てられた状態を示した図である。
【図１０】同じく、本実施形態のストーブ用設置台の要部断面図である。
【符号の説明】
【００２３】
１０  ストーブ用設置台
１２  空気取入部
１２Ａ  空気孔
１４  載置部
１４Ａ  金属板
１４Ｂ  石膏ボード
１６  支承部
１６Ａ  保持部
１６Ｂ  脚部
１６Ｃ  取付片
１８  １８Ａ  １８Ｂ  １８Ｃ  放熱部
２０  放熱フィン
２２  パッキン
２４  ネジ
【図１】
2007285665.tif 000003
【図２】
2007285665.tif 000004
【図３】
2007285665.tif 000005
【図４】
2007285665.tif 000006
【図５】
2007285665.tif 000007
【図６】
2007285665.tif 000008
【図７】
2007285665.tif 000009
【図８】
2007285665.tif 000010
【図９】
2007285665.tif 000011
【図１０】
2007285665.tif 000012